(57)【要約】      （修正有）【課題】安定性が向上し、設置や取り外し交換が容易で便利な複数の平面ディスプレイ用テレビ壁掛け金具を提供する。【解決手段】テレビ壁掛け金具は、壁面に固定されるＨ型支持具１１を備えた背面具１０、２本の直立式支持桿２１Ａ、Ｂを備えた支持具２０、２本のＸ型連桿ユニットからなる伸縮具３０、上下調整ネジ桿４２と左右調整ネジ桿４６を備えた定位具４０、４本の同時桿５０とディスプレイ吊り掛け具６０からなる。平面ディスプレイを吊り掛けしたディスプレイ吊り掛け具６０は、定位具４０の吊り掛け桿４４に支持されて、押圧されることにより伸縮具３０を縮退させて複数の平面ディスプレイが面一となるように配置される。【選択図】図２
0003198611.tif 000002
【実用新案登録請求の範囲】
【請求項１】
背面具、支持具、二組の伸縮具、定位具、四本の同時桿とディスプレイ吊り掛け具からなる壁掛け金具であって、
上記背面具は、壁面に固定されるＨ型支持具を具え、
該Ｈ型支持具の前側面には二本の直立式支持桿を設置してそれらの両側にはそれぞれスリットを穿設すると共にそれらの下方に枢設孔を設け、
二本の直立式支持桿の間にわたる固定桿を枢設して該固定桿上には固定台と調整ネジを設置し、
固定台の両側には滑動スリットを穿設すると共に固定台上には固定部品を設置して該固定部品に設けた枢設部品を滑動スリットに挿通して該滑動スリットに沿って前後方向に滑動可能に結合し、
さらに固定部品にはネジ孔を設けて、上記固定桿に設置した調整ネジを螺合して前後調整可能に結合し、且つ該固定部品には差動式ロック溝を設けてなり、
上記支持具は、
二本の直立式支持桿を具えてそれらの両側にはそれぞれスリットを穿設すると共にそれらの両側下方には枢設孔を穿設し、また、それらの間に固定桿を架設して該固定桿には上記固定部品の差動式ロック溝に対応するロック桿を枢設してなり、
上記伸縮具は、第一桿体、第二桿体、第三桿体と第四桿体を具え、該第一桿体と第二桿体は交差してＸ型連桿ユニットを形成し、該第三桿体と第四桿体は交差して第二Ｘ型連桿ユニットを形成し、さらに両者を枢設ピンで枢設して連動して動作可能とし、
且つ、該第一桿体と第三桿体の一端は枢設部品を背面具の前記スリットに挿通してスライド可能とし、第一桿体と第三桿体の他端は、枢設部品によって支持具の前記枢設孔と枢設して結合し、
第二桿体と第四桿体の一端は枢設部品を背面具の枢設孔と枢設して結合し、第二桿体と第四桿体の他端は枢設部品を支持具の前記スリットに挿通してスライド可能として第一Ｘ型連桿ユニットと第二Ｘ型連桿ユニットは連動して伸縮するようにしてなり、
上記定位具は、上記支持具の二本の直立式支持桿の最上端に被せて設置され、その上面にネジ孔を穿設して上下調整ネジ桿を差し入れて支持具の二本の直立式支持桿の最上端に調整可能に押圧されると共に、
支持具前側面に設置され、且つ該定位具の後側面には複数の凸点を設けて該凸点は二本の直立式支持桿の前側面を押圧し、さらに、該定位具の前側にはディスプレイ吊り掛け具を掛けるための複数の吊掛桿を設置し、該定位具の左、右両側面にはそれぞれネジ孔を穿設して左右調整ネジ桿を螺設して該左右調整ネジ桿によりディスプレイ吊り掛け具の側壁で押さえてなり、
上記同時桿は、上記二本の伸縮具に枢設して架設されて、該二組の伸縮具を連動して伸縮移動可能とし、
ディスプレイを固定したディスプレイ吊り掛け具を上記定位具の吊掛桿に吊り掛けて固定することを
特徴とするテレビ壁掛け金具。
【請求項２】
前記支持具の二本の直立式支持桿の前側面に複数の位置限定スリットを設置したことを特徴とする請求項１記載のテレビ壁掛け金具。
【請求項３】
前記第一Ｘ型連桿ユニットと第二Ｘ型連桿ユニットに設置する枢設ピンにはバネを挿入設置したことを特徴とする請求項１記載のテレビ壁掛け金具。
【請求項４】
前記支持具は、後端に第一定位滑片を設置し、定位具の後端には第二定位滑片を設置し、該第一定位滑片と第二定位滑片はネジを設置してそれを支持具の位置限定スリットに差し入れて枢設結合したことを特徴とする請求項２記載のテレビ壁掛け金具。
【請求項５】
前記第一定位滑片と第二定位滑片は、複数の凸点を設置して支持具に対応せしめたことを特徴とする請求項４記載のテレビ壁掛け金具。
【考案の詳細な説明】
【技術分野】
【０００１】
本考案は、テレビ壁掛け金具に関するもので、特に安定性が向上し、操作がより便利になるテレビ壁掛け金具である。
【背景技術】
【０００２】
多数の人が同時に映画や番組、広告、ニュースを見ることができるのは、現在のところ、複数の平面ディスプレイ組を連接した壁掛けテレビである。これらの平面ディスプレイは共同で単一画面として表示し、異なる画面を表示したり、表示画面を分割したりすることに拠って、大面積を提供し、大きな範囲で鑑賞することができる。現在、壁掛けテレビの設置は、壁面上に複数の壁掛け金具を設置し、次に平面ディスプレイを上から下へ、左から右へ（もしくは下から上へ、右から左へ）の順序で設置する。
【０００３】
公知の壁掛け金具は、固定式の設計であり、壁掛け金具及び平面ディスプレイを設置する時、確実に正しい位置に設置しなければならず、両平面ディスプレイ間をしっかりと合わせ、隙間ができないようにしなければならない。仮に該壁掛けテレビの平面ディスプレイが故障して修理が必要になった時、壊れた平面ディスプレイと同一の直列（もしくは同一の横列）のその他正常な平面ディスプレイも合わせて外した後、故障した平面ディスプレイを分離して修理交換し、修理が完成した後、順に取り外したこれらの同一直列（もしくは同一横列）の平面ディスプレイを固定する。
【先行技術文献】
【特許文献】
【０００４】
【特許文献１】特開２００７−６５５０９号公報
【特許文献２】特開２００４−１７６３６５号公報
【考案の概要】
【考案が解決しようとする課題】
【０００５】
解決しようとする問題点は、修理の際、公知のテレビ壁掛け金具は、設置もしくは取り外し交換に際し、時間と手間がかかり、修理コストも上がる点である。
【課題を解決するための手段】
【０００６】
本考案は、壁面に取り付ける背面具、支持具、伸縮具、定位具、同時桿とディスプレイ吊り掛け具を備える。そのうち該支持具は背面具と枢設して結合し、該同時桿は伸縮具上に架設し、定位具を同時に展開する、もしくは背面具へ折畳み定位し、該ディスプレイ吊り掛け具は定位具上で吊り掛けることを最も主要な特徴とする。
【考案の効果】
【０００７】
本考案のテレビ壁掛け金具は、安定性が向上し、操作がより便利になるという利点がある。
【図面の簡単な説明】
【０００８】
【図１】本考案の立体分解図である。
【図２】本考案の組立指示図である。
【図３】図１のＡ部分拡大図である。
【図４】本考案の前面図である。
【図５】本考案の側面図である。
【図６】本考案の部分断面図である。
【図７】本考案の折畳み状態の側面図である。
【図８】本考案の折畳み状態の立体図である。
【図９】本考案の折畳み状態の断面図である。
【図１０】本考案の側面図で、定位具とディスプレイ吊り掛け具を上下調整する指示図である。
【図１１】本考案の前面図で、定位具とディスプレイ吊り掛け具を左右調整する指示図である。
【図１２】本考案の部分断面図で、固定部品を前後調整する指示図である。
【図１３】本考案のディスプレイ吊り掛け具の別の実施例の立体指示図である。
【考案を実施するための形態】
【０００９】
上述の欠点を改善し、安定性が向上し、操作がより便利になるテレビ壁掛け金具を提供することを本考案の目的とする。
【００１０】
上述の問題を達成するため、本考案の壁掛け金具は、壁面に取り付ける背面具、支持具、二本の伸縮具、定位具、四本の同時桿とディスプレイ吊り掛け具により構成する。
【００１１】
背面具は、Ｈ型支持具を具える。Ｈ型支持具の前側面には二本の直立式支持桿を設置する。二本の直立式支持桿上にはそれぞれスリットを穿設し、二本の直立式支持桿の中間には固定桿を枢設し、固定桿上には固定台と調整ネジを設置する。固定台の両側には滑動スリットを穿設し、固定台上には固定部品を設置し、該固定部品は枢設部品で滑動スリットと固定台を枢設して結合する。該固定部品はネジ孔を設置し、ネジ孔は固定桿に設置した調整ネジで枢設して結合し、且つ該固定部品上には差動式ロック溝を設置する。他に、該二本の直立式支持桿の両側下方には枢設孔を設置する。
【００１２】
支持具は二本の直立式支持桿を具える。二本の直立式支持桿の両側にはそれぞれスリットを穿設し、二本の直立式支持桿の中間には固定桿を架設する。固定桿上にはロック桿を枢設し、該ロック桿は固定部品と相互に対応し、また該二本の直立式支持桿の両側下方には枢設孔を穿設する。
【００１３】
伸縮具は、第一桿体、第二桿体、第三桿体と第四桿体を含む。該第一桿体と第二桿体は交差して枢設しＸ型連桿ユニットを形成し、該第三桿体と第四桿体は交差して枢設し第二Ｘ型連桿ユニットを形成し、且つ該第一Ｘ型連桿ユニットと第二Ｘ型連桿ユニットは枢設ピンで枢設して結合する。また、該第一桿体と第三桿体の一端は枢設部品によって背面具のスリット上で枢設し、第一桿体と第三桿体の別一端は、枢設部品によって支持具の枢設孔と枢設して結合し、第二桿体と第四桿体の一端は枢設部品によって背面具の枢設孔と枢設して結合する。第二桿体と第四桿体の別一端は枢設部品によって支持具のスリット上で枢設し、第一Ｘ型連桿ユニットと第二Ｘ型連桿ユニットは同時に伸縮する。
【００１４】
定位具は、上面にネジ孔を穿設し、ネジ孔は上下調整ネジ桿を差し入れ、定位具は上下調整ネジ桿によって支持具の二本の直立式支持桿の最上端で押さえ、定位具を支持具前側面で設置する。且つ該定位具の後側面には若干の凸点を設置し、該凸点は二本の直立式支持桿の前側面で押さえる。他に、該定位具の前側には複数の吊掛桿を設置し、該吊掛桿はディスプレイ吊り掛け具を掛けるのに用いる。且つ該定位具の左、右両側面にはそれぞれネジ孔を穿設し、該ネジ孔中には左右調整ネジ桿を螺設する。該左右調整ネジ桿はディスプレイ吊り掛け具の側壁で押さえる
【００１５】
同時桿は、二本の伸縮具上で枢設して架設し、該二組の伸縮具を同時に伸縮移動させる。
【００１６】
ディスプレイ吊り掛け具は、定位具の吊掛桿上で吊り掛け、ディスプレイを設置して固定するのに用いる。
【００１７】
上述の構造に拠って、安定性が向上し、操作が便利になるテレビ壁掛け金具を提供する。
【実施例】
【００１８】
本考案の目的を達成するための技術手段について、図１から図１３の実施例で以下に詳細に説明する。
【００１９】
図１、２に示すとおり、実施例の壁掛け金具は、背面具１０、支持具２０、二本の伸縮具３０、定位具４０、四本の同時桿５０とディスプレイ吊り掛け具６０からなる。
【００２０】
上記背面具１０（同時に図１、２、３、５、６参照）は、Ｈ型支持具１１を具える。Ｈ型支持具１１は壁面上もしくはその他固定具上に枢設して設置する。Ｈ型支持具１１前側面には二本の直立式支持桿１２Ａ、１２Ｂを設置し、二本の直立式支持桿１２Ａ、１２Ｂにはスリット１３をそれぞれ穿設して、二本の直立式支持桿１２Ａ、１２Ｂの中間には固定桿１４を枢設する。固定桿１４には固定台１５と調整ネジ１６を設置し（図３）、固定台１５の両側には、滑動スリット１５１を設けて、固定台１５上に固定部品１７を設置し、該固定部品１７は枢設部品１７１を固定台１５の滑動スリット１５に差し入れて固定台１５と枢設して結合する。
該固定部品１７はネジ孔１７２を穿設し、ネジ孔１７２は固定桿１４上の調整ネジ１６に枢設して結合する。調整ネジ１６を回転させて固定部品１７を固定台１５上で滑動して前後に移動させ、且つ該固定部品１７上には差動式ロック溝１７３を設置する。他に、該二本の直立式支持桿１２Ａ、１２Ｂの両側下方には枢設孔１８を穿設する。
【００２１】
支持具２０（同時に図１、２、５参照）は、二本の直立式支持桿２１Ａ、２１Ｂを具える。二本の直立式支持桿２１Ａ、２１Ｂの両側にはスリット２２をそれぞれ設けて二本の直立式支持桿２１Ａ、２１Ｂの中間には固定桿２３を架設する。固定桿２３上にはロック桿２４を設置し、該ロック桿２４は固定部品１７と相互に対応する。また該二本の直立式支持桿２１Ａ、２１Ｂの両側下方には枢設孔２５を穿設する。
【００２２】
上述を受け、図１に示すのは、良好な実施例であり、該支持具２０の二本の直立式支持桿２１Ａ、２１Ｂの前側面には位置限定スリット２６を複数設置する。
【００２３】
伸縮具３０（同時に図１、２、５参照）は、第一桿体３１、第二桿体３２、第三桿体３３と第四桿体３４からなる。該第一桿体３１と第二桿体３２は交差して第一Ｘ型連桿ユニット３０Ａを形成し、該第三桿体３３と第四桿体３４は交差して第二Ｘ型連桿ユニット３０Ｂを形成し、さらに両者を枢設ピン３５で枢設して連動して伸縮可能とする。
更に、該第一桿体３１と第三桿体３３の一端は第一枢設部品３６を背面具１０のスリット１３に挿通して枢設し、第一桿体３１と第三桿体３３の他端は第二枢設部品３７を支持具２０の枢設孔２５に挿通して枢設・結合する。
また、第二桿体３２と第四桿体３４の一端は、第二枢設部品３７を背面具１０の枢設孔１８に挿通して枢設・結合し、第二桿体３２と第四桿体３４の他端は第一枢設部品３６を支持具２０のスリット２２に挿通して枢設し、第一Ｘ型連桿ユニット３０Ａと第二Ｘ型連桿ユニット３０Ｂを同時に伸縮操作可能とする。
【００２４】
上記による良好な実施例として第一Ｘ型連桿ユニット３０Ａと第二Ｘ型連桿ユニット３０Ｂ間に設置する枢設ピン３５にはバネ３８を挿入設置する。
【００２５】
定位具４０（同時に図１、２、４参照）は、二本の直立式支持桿４０Ａ、４０Ｂを具える。その上面にはネジ孔４１を穿設し、ネジ孔４１には上下調整ネジ桿４２を挿入し、定位具４０は該上下調整ネジ桿４２によって支持具２０の二本の直立式支持桿２１Ａ、２１Ｂの最上端を押さえ、定位具４０を支持具２０前側面で設置し、且つ該定位具４０後側面には複数の凸点４３を設けて、該凸点４３を二本の直立式支持桿２１Ａ、２１Ｂの前側面に当接する。
他に、該定位具４０前側にはディスプレイ吊り掛け具６０を掛けるための複数の吊掛桿４４を設置し、且つ該定位具４０の左、右両側面にはそれぞれネジ孔４５を穿設し、該ネジ孔４５には左右調整ネジ桿４６を差し込んで締める。該左右調整ネジ桿４６はディスプレイ吊り掛け具６０の側壁に当接する。
【００２６】
上記の良好な実施例として、図１、９に示すとおり、本考案は、更に第一定位滑片４７Ａと第二定位滑片４７Ｂを具える。該第一定位滑片４７Ａは支持具２０後端に設置し、第二定位滑片４７Ｂは定位具４０後端に設置する。更に、第一定位滑片４７Ａと第二定位滑片４７Ｂは枢設部品４８を支持具２０の位置限定スリット２６に差し込んで枢設して結合し、定位具４０によって支持具２０前側において、位置を制限しながら上下移動する。
【００２７】
上記良好な実施例として、図１、９に示すとおり、該第一定位滑片４７Ａと第二定位滑片４７Ｂは支持具２０の面凸に設置した複数の凸点４７１に対応し、第一定位滑片４７Ａ、第二定位滑片４７Ｂと支持具２０の接触面積を減らす。
【００２８】
同時桿５０（同時に図１、２、５参照）は、二本の伸縮具３０の間に架設し、該二組の伸縮具３０を同時に伸縮移動させる。
【００２９】
ディスプレイ吊り掛け具６０（同時に図２、８参照）は、定位具４０の吊掛桿４４上に掛け、ディスプレイを設置して固定するのに用いる。
【００３０】
上述の構造によって、本考案の壁掛け金具を外側に突出させ、作業員が平面ディスプレイをディスプレイ吊り掛け具６０上に設置し、次にディスプレイ吊り掛け具６０を定位具４０上に掛ける。続いて該ディスプレイ吊り掛け具６０（もしくは平面ディスプレイ）を押し、伸縮具３０を壁面に向けて図７に示すように押し、同時に該伸縮具３０に設置した第一枢設部品３６は背面具１０、支持具２０のスリット１３、２２に於いて上向きに移動し、伸縮具３０を壁面に向けて折畳む。該ロック桿２４を固定部品１７の差動式ロック溝１７３中に入れて定位する。この時、該伸縮具３０に設置したバネ３８両端はそれぞれ背面具１０と支持具２０で押さえ、支持具２０が定位固定して揺れないようにして（図９参照）、平面ディスプレイが本考案の壁掛け金具上で安定して固定され、複数組の本考案の壁掛け金具に設置することで、大面積の壁掛けテレビとなる。
【００３１】
ディスプレイの上、下、左、右位置を微調整したい時、上下調整ネジ桿４２（図１０参照）を回転して調整して該定位具４０を上下調整ネジ桿４２の回転に拠って上、下に移動するか、もしくは左右調整ネジ桿４６（図１１参照）を回転して調整し、該定位具４０を左右調整ネジ桿４２の回転によって左、右に移動させ、平面ディスプレイの位置を調整する。
【００３２】
他に、壁掛けテレビの平面ディスプレイに凸出もしくは凹入の状況がある時、図１２に示すように、修理者は背面具１０に設置した調整ネジ１６を回転して調整し、固定部品１７を後方へ（もしくは前方へ）移動して調整することで、支持具２０上に設置したロック桿２４と背面具１０上に設置した固定部品１７のロック位置を調整し、支持具２０と背面具１０の間隔を調整し、平面ディスプレイの平滑性を調整する。
【００３３】
壁掛けテレビのディスプレイが故障した時、修理者は、ディスプレイを押し、支持具２０のロック桿２４を背面具１０に設置した固定部品１７の差動式ロック溝１７３から外す。該伸縮具３０は前方へ弾き出て、支持具２０と背面具１０に大きな間隔を開ける（図５参照）。修理者はディスプレイ吊り掛け具６０を定位具４０の吊掛桿４４から外し、故障のディスプレイを下ろして修理する。修理完了後、平面ディスプレイとディスプレイ吊り掛け具６０を定位具４０の吊掛桿４４上に掛け、次に平面ディスプレイを押し、伸縮具３０を縮ませ、支持具２０のロック桿２４を背面具１０に設置した固定部品１７の差動式ロック溝１７３に差し入れてロックすると、支持具２０は定位固定する（図８参照）。
【００３４】
また、図２に示すとおり、該ディスプレイ吊り掛け具６０は一組二本の吊り掛け具か、もしくは図１３に示す単片式吊り掛け具６０Ａでもよく、該単片式吊り掛け具６０Ａは仰ぎ見る角度及び回転角度に設置する吊り掛け具である。
【００３５】
上述のとおり、本考案は以下の長所を備える。
【００３６】
一として本考案の各部品は、独立部品であり、順に組み立てる壁掛け金具である。そのため、人が単独で組立作業ができ、大型機具で作業する必要がないため、組み立てが便利であり、作業者は少なくても済み、作業コストが下がる。
【００３７】
二として、本考案の二組の伸縮具３０上に４本の同時桿５０を架設することで、二組の伸縮具３０は同時に展開もしくは折畳みでき、人が左側もしくは右側のどちらから押しても、該伸縮具３０は同時に移動し、支持具２０、定位具４０とディスプレイ吊り掛け具６０の安定度及び操作便利性が向上する。
【００３８】
三として、本考案は背面具１０中央に固定部品１７を設置するため、支持具２０が押されて折り畳んだ時、支持具２０上に設置したロック桿２４は差動式ロック溝１７３に挿入されて定位ロックし、次に支持具２０を押すと、ロック桿２４は差動式ロック溝１６３出て支持具２０と背面具１０を離す。同時に同時桿５０の設置によって、人が左側もしくは右側のどちらから押しても、どちらもロック桿２４を差動式ロック溝１７３から差し入れたり、退出させたりして，操作上の便利性と安定性を高める。
【００３９】
四として、本考案の定位具４０は上下調整ネジ桿４２で支持具２０上方押さえることに拠って、ディスプレイの上下位置を調整する必要がある時、該調整ネジ桿４２を回転するだけで、定位具４０を上向き、もしくは下向きに移動し、ディスプレイの位置を調整する。
【００４０】
五として、本考案の定位具４０の両側に左右調整ネジ桿４６を設置し、該左右調整ネジ桿４６をディスプレイ吊り掛け具６０側壁で押さえることで、ディスプレイの左右位置を調整する必要がある時、定位具４０両側の左右調整ネジ桿４６を調整するだけで、ディスプレイ吊り掛け具６０が左向き、もしくは右向きに移動してディスプレイの位置を調整する。
【００４１】
六として、本考案の定位具４０上に若干の凸点４３を設置することで、定位具４０と支持具２０の接触面積が減り、定位具４０移動時の摩擦力が下がり、定位具４０をスムーズに上下もしくは左右移動させる。
【００４２】
七として、本考案の背面具１０中央に設置した固定部品１７は、調整ネジ１６で固定台１５と枢設することから、調整ネジ１６を回転するだけで固定部品１７を前方もしくは後方へ移動して調整する。ディスプレイ及び支持具２０の凸出高度を調整する必要がある時、調整ネジ１６で固定部品１７を調整して前方（もしくは後方）へ移動するだけでディスプレイが前方へ凸出、もしくは後方へ凹む。
【００４３】
以上の説明及び図式に表示する実施例から分かるとおり、本考案は明らかな進歩性を備え、その構造は未見であり、実用新案登録の要件に合致する。
【００４４】
上述に述べるとおり、本考案を説明するための実施可能な実施例であるため、本考案の請求範囲を制限するものではない。当該領域に習熟した者が、本考案の説明書及び請求範囲に基づいた同等効果の変化もしくは修飾は、すべて本考案の請求項に含まれるものとする。
【符号の説明】
【００４５】
１０        背面具
１１        Ｈ型支持具
１２Ａ      直立式支持桿
１２Ｂ      直立式支持桿
１３        スリット
１４        固定桿
１５        固定台
１５１        滑動スリット
１６        調整ネジ
１７        固定部品
１７１        枢設部品
１７２        ネジ孔
１７３        差動式ロック溝
１８        枢設孔
２０        支持具
２１Ａ      直立式支持桿
２１Ｂ      直立式支持桿
２２        スリット
２３        固定桿
２４        ロック桿
２５        枢設孔
２６        位置限定スリット
３０        伸縮具
３０Ａ      第一Ｘ型連桿ユニット
３０Ｂ      第二Ｘ型連桿ユニット
３１        第一桿体
３２        第二桿体
３３        第三桿体
３４        第四桿体
３５        枢設ピン
３６        第一枢設部品
３７        第二枢設部品
３８        バネ
４０        定位具
４１        ネジ孔
４２        上下調整ネジ桿
４３        凸点
４４        吊掛桿
４５        ネジ孔
４６        左右調整ネジ桿
４７Ａ      第一定位滑片
４７Ｂ      第二定位滑片
４７１      凸点
５０        同時桿
６０        ディスプレイ吊り掛け具
６０Ａ      ディスプレイ吊り掛け具
【図１】
0003198611.tif 000003
【図２】
0003198611.tif 000004
【図３】
0003198611.tif 000005
【図４】
0003198611.tif 000006
【図５】
0003198611.tif 000007
【図６】
0003198611.tif 000008
【図７】
0003198611.tif 000009
【図８】
0003198611.tif 000010
【図９】
0003198611.tif 000011
【図１０】
0003198611.tif 000012
【図１１】
0003198611.tif 000013
【図１２】
0003198611.tif 000014
【図１３】
0003198611.tif 000015